(57)【要約】【課題】複数の冷却ユニットを備え、それぞれの室外熱交換器が一体に形成されている自動販売機の圧縮機の起動不良を防止する。【解決手段】冷却用ユニット１２と、冷却加温用ユニット１３と、冷却用圧縮機８と、冷却加温用圧縮機３４と、冷却用ユニット１２と冷却加温用ユニット１３の室外熱交換器７、３１が一体に形成されている自動販売機において、冷却加温用ユニット１３が加温設定である場合に、冷却用ユニット１２が高圧と低圧の圧力バランス制御中に冷却加温用ユニット１３が停止した場合には、冷却用ユニット１２の起動を所定時間遅延することで、圧力バランスを適切に行うことができ、冷却用ユニット１２の起動不良を防止することができる。【選択図】図３
2011034526.tif 000002
【特許請求の範囲】
【請求項１】
圧縮機と室外熱交換器と室内熱交換器とを有する冷却ユニットを複数備え、前記複数の冷却ユニットの室外熱交換器を一体に形成した自動販売機において、一方の冷却ユニットが高圧と低圧の圧力バランス制御中に他方の冷却ユニットが起動または停止した場合、一方の冷却ユニットの起動を所定時間遅延することを特徴とする自動販売機の制御装置。
【請求項２】
複数の冷却ユニットは、一方が室内を専用に冷却運転を行う冷却用ユニットとし、他方が室内を冷却運転と加温運転とを切替え可能な冷却加温用ユニットとし、前記冷却加温用ユニットが加温設定である場合に、前記冷却用ユニットが高圧と低圧の圧力バランス制御中に前記冷却加温用ユニットが停止した場合には、前記冷却用ユニットの起動を所定時間遅延することを特徴とする請求項１に記載の自動販売機の制御装置。
【請求項３】
複数の冷却ユニットは、一方が室内を専用に冷却運転を行う冷却用ユニットとし、他方が室内を冷却運転と加温運転とを切替え可能な冷却加温用ユニットとし、前記冷却加温用ユニットが冷却設定である場合に、前記冷却用ユニットが高圧と低圧の圧力バランス制御中に前記冷却加温用ユニットが起動した場合には、前記冷却用ユニットの起動を所定時間遅延することを特徴とする請求項１に記載の自動販売機の制御装置。
【請求項４】
複数の冷却ユニットは、一方が室内を専用に冷却運転を行う冷却用ユニットとし、他方が室内を冷却運転と加温運転とを切替え可能な冷却加温用ユニットとし、前記冷却加温用ユニットが冷却設定である場合に、前記冷却加温用ユニットが高圧と低圧の圧力バランス制御中に前記冷却用ユニットが起動した場合には、前記冷却加温用ユニットの起動を所定時間遅延することを特徴とする請求項１に記載の自動販売機の制御装置。
【請求項５】
複数の冷却ユニットは、一方が室内を専用に冷却運転を行う冷却用ユニットとし、他方が室内を冷却運転と加温運転とを切替え可能な冷却加温用ユニットとし、前記冷却加温用ユニットが加温設定である場合に、前記冷却加温用ユニットが高圧と低圧の圧力バランス制御中に前記冷却用ユニットが起動した場合には、前記冷却加温用ユニットの起動を所定時間遅延することを特徴とする請求項１に記載の自動販売機の制御装置。
【請求項６】
外気温度を検知する外気温度検知手段を備え、前記外気温検知手段により検知した外気温度に応じた時間を遅延することを特徴とした請求項１から５のいずれか一項に記載の自動販売機の制御装置。
【請求項７】
電源電圧を検知する電圧検知手段を備え、前記電源電圧検知手段により検知した電源電圧に応じた時間を遅延することを特徴とした請求項１から６のいずれか一項に記載の自動販売機の制御装置。
【発明の詳細な説明】
【技術分野】
【０００１】
本発明は、自動販売機における冷却システムの制御装置に関するものである。
【背景技術】
【０００２】
従来の自動販売機における冷却システムの制御装置には、圧縮機の運転開始直前に電磁弁を開口し、圧縮機の吐出側と吸入側の圧力バランスをとることができる制御装置について開示したものがある。（例えば、特許文献１参照）
図５は、前記文献に記載された従来の自動販売機に使用されている冷却装置の冷凍回路を概念的に示す図である。図５において、１ａは商品を収納する断熱構造の収納室、収納室１ａには蒸発器２ａが配置され、収納室１ａの外に圧縮機３ａ、凝縮器４ａが配置されている。そして室外熱交換器４ａと蒸発器２ａとの間にはオン・オフ動作で開閉する電磁弁５ａとキャピラリ銅パイプ６ａが設けられて冷凍回路が構成されている。
【０００３】
すなわち、圧縮機３ａから吐出される高温高圧のガス状の冷媒は凝縮器４ａで冷却されて高温高圧のまま液化され、開とされた電磁弁５ａを経由しキャピラリ銅パイプ６ａを通過する間に減圧されて低温低圧の液体となる。そして、冷媒は蒸発器２ａに至って収納室１ａの内部空気から吸熱してガス化され、圧縮機３ａに吸入されて再び高温高圧のガスとして吐出される。このような冷却サイクルを繰り返すことにより収納室１ａの内部が冷却される。
【０００４】
そのほか、収納室１ａ内には庫内の空気を攪拌する庫内ファン７ａ、および庫内温度センサー８ａが設けられ、庫外には制御手段９ａ、凝縮器４ａにはその出口における冷媒温度を調整するための庫外ファン１０ａが設けられている。
【０００５】
収納室１ａの庫内温度が所定の運転停止温度まで冷却されると、制御手段９ａによって圧縮機３ａが停止されると共に電磁弁５ａが閉とされる。その後、収納室１の庫内温度が上昇して運転開始温度に到達すると制御手段９ａによって電磁弁５ａが開とされる。
【０００６】
そして、電磁弁５ａの開の時点を基準にして１０秒後に圧縮機３ａが制御手段９ａによって起動される。圧縮機３ａの起動前に電磁弁５ａが開とされることにより、圧縮機３ａの吐出側の高圧の冷媒が低圧の蒸発器２ａ側へ移動して圧力が平衡化され差圧が解消される。そして、差圧が解消された状態で圧縮機３ａが起動されることから、圧縮機３ａには大きい負荷がかからず冷却できる。
【先行技術文献】
【特許文献】
【０００７】
【特許文献１】特開２００４−１１８７８１号公報
【発明の概要】
【発明が解決しようとする課題】
【０００８】
しかしながら、近年、自動販売機に２つの冷却または加温ユニットを搭載し、室外熱交換器が一体に形成されており、システム効率が高く、消費電力を低減したものがあり、片側のユニットが起動前にもう一方のユニットが起動もしくは停止した場合に室外熱交換器が一体に形成されていることから熱の影響を受け、圧力バランスがくずれてしまい、前記従来の構成における起動前に電磁弁を開とすることでは吐出側と吸入側の圧力バランスをとるのに必要な時間を確保できず、圧縮機の起動不良を起こすという問題があった。
【０００９】
本発明は、上記従来の課題を解決するもので、片側のユニットが起動前にもう一方のユニットが起動もしくは停止した場合には起動を所定時間遅延することにより圧縮機の吐出側と吸入側の圧力バランスを状況に応じてとることができる自動販売機の制御装置を提供することを目的とする。
【課題を解決するための手段】
【００１０】
前記従来の課題を解決するために、本発明の自動販売機の制御装置は、圧縮機と室外熱交換器と室内熱交換器とを有する冷却ユニットを複数備え、前記複数の冷却ユニットの室外熱交換器を一体に形成した自動販売機において、一方の冷却ユニットが高圧と低圧の圧力バランス制御中に他方の冷却ユニットが起動または停止した場合、一方の冷却ユニットの起動を所定時間遅延するものである。
【００１１】
これにより、複数の冷却ユニットの室外熱交換器を一体に形成したものにおいて、一方の冷却ユニットが高圧と低圧の圧力バランス制御中に他方の冷却ユニットが起動または停止した場合においても、一体形成した室外熱交換器における他方への熱影響すなわち圧力変動を考慮して一方の冷却ユニットの起動を所定時間遅延することで圧縮機の吐出側と吸入側の圧力バランスを適切に行うことができる。
【発明の効果】
【００１２】
本発明の自動販売機の制御装置は、複数の冷却ユニットの室外熱交換器を一体に形成したものにおいて、一方の冷却ユニットが高圧と低圧の圧力バランス制御中に他方の冷却ユニットが起動または停止した場合においても、圧縮機の吐出側と吸入側の圧力バランスを適切に行うことができ、圧縮機の起動不良を防止することができる。
【図面の簡単な説明】
【００１３】
【図１】本発明の実施の形態１における自動販売機の冷却装置の冷凍回路図
【図２】同実施の形態による自動販売機の制御装置の機能ブロック図
【図３】同実施の形態による自動販売機の制御装置の動作を示すフローチャート
【図４】同実施の形態による自動販売機の制御装置の動作を示すフローチャート
【図５】従来の自動販売機の冷却装置の冷凍回路図
【発明を実施するための形態】
【００１４】
請求項１に記載の発明は、圧縮機と室外熱交換器と室内熱交換器とを有する冷却ユニットを複数備え、前記複数の冷却ユニットの室外熱交換器を一体に形成した自動販売機において、一方の冷却ユニットが高圧と低圧の圧力バランス制御中に他方の冷却ユニットが起動または停止した場合、一方の冷却ユニットの起動を所定時間遅延するものであり、複数の冷却ユニットの室外熱交換器を一体に形成したものにおいて、一方の冷却ユニットが高圧と低圧の圧力バランス制御中に他方の冷却ユニットが起動または停止した場合においても、一体形成した室外熱交換器における他方への熱影響すなわち圧力変動を考慮して一方の冷却ユニットの起動を所定時間遅延することで、圧縮機の吐出側と吸入側の圧力バランスを適切に行うことができ、圧縮機の起動不良を防止することができる。
【００１５】
請求項２に記載の発明は、請求項１に記載の発明において、複数の冷却ユニットは、一方が室内を専用に冷却運転を行う冷却用ユニットとし、他方が室内を冷却運転と加温運転とを切替え可能な冷却加温用ユニットとし、前記冷却加温用ユニットが加温設定である場合に、前記冷却用ユニットが高圧と低圧の圧力バランス制御中に前記冷却加温用ユニットが停止した場合には、前記冷却用ユニットの起動を所定時間遅延するものであり、加温設定された冷却加温用ユニットの停止による一体形成した室外熱交換器における冷却用ユニットへの熱影響すなわち温度上昇による冷却用ユニット側の圧縮機の吐出側圧力の上昇を考慮して冷却用ユニットの起動を所定時間遅延することで、冷却用ユニット側の圧縮機の
吐出側と吸入側の圧力バランスを適切に行うことができ、冷却用ユニット側の圧縮機の起動不良を防止することができる。
【００１６】
請求項３に記載の発明は、請求項１に記載の発明において、複数の冷却ユニットは、一方が室内を専用に冷却運転を行う冷却用ユニットとし、他方が室内を冷却運転と加温運転とを切替え可能な冷却加温用ユニットとし、前記冷却加温用ユニットが冷却設定である場合に、前記冷却用ユニットが高圧と低圧の圧力バランス制御中に前記冷却加温用ユニットが起動した場合には、前記冷却用ユニットの起動を所定時間遅延するものであり、冷却設定された冷却加温用ユニットの起動による一体形成した室外熱交換器における冷却用ユニットへの熱影響すなわち温度上昇による冷却用ユニット側の圧縮機の吐出側圧力の上昇を考慮して冷却用ユニットの起動を所定時間遅延することで、冷却用ユニット側の圧縮機の吐出側と吸入側の圧力バランスを適切に行うことができ、冷却用ユニット側の圧縮機の起動不良を防止することができる。
【００１７】
請求項４に記載の発明は、請求項１に記載の発明において、複数の冷却ユニットは、一方が室内を専用に冷却運転を行う冷却用ユニットとし、他方が室内を冷却運転と加温運転とを切替え可能な冷却加温用ユニットとし、前記冷却加温用ユニットが冷却設定である場合に、前記冷却加温用ユニットが高圧と低圧の圧力バランス制御中に前記冷却用ユニットが起動した場合には、前記冷却加温用ユニットの起動を所定時間遅延するものであり、冷却用ユニットの起動による一体形成した室外熱交換器における冷却加温用ユニットへの熱影響すなわち温度上昇による冷却加温用ユニット側の圧縮機の吐出側圧力の上昇を考慮して冷却加温用ユニットの起動を所定時間遅延することで、冷却加温用ユニット側の圧縮機の吐出側と吸入側の圧力バランスを適切に行うことができ、冷却加温用ユニット側の圧縮機の起動不良を防止することができる。
【００１８】
請求項５に記載の発明は、請求項１に記載の発明において、複数の冷却ユニットは、一方が室内を専用に冷却運転を行う冷却用ユニットとし、他方が室内を冷却運転と加温運転とを切替え可能な冷却加温用ユニットとし、前記冷却加温用ユニットが加温設定である場合に、前記冷却加温用ユニットが高圧と低圧の圧力バランス制御中に前記冷却用ユニットが起動した場合には、前記冷却加温用ユニットの起動を所定時間遅延するものであり、冷却用ユニットの起動による一体形成した室外熱交換器における冷却加温用ユニットへの熱影響すなわち温度上昇による冷却加温用ユニット側の圧縮機の吐出側圧力の上昇を考慮して冷却加温用ユニットの起動を所定時間遅延することで、冷却加温用ユニット側の圧縮機の吐出側と吸入側の圧力バランスを適切に行うことができ、冷却加温用ユニット側の圧縮機の起動不良を防止することができる。
【００１９】
請求項６に記載の発明は、請求項１から５のいずれか一項に記載の発明において、外気温度を検知する外気温度検知手段を備え、前記外気温検知手段により検知した外気温度に応じた時間を遅延するものであり、外気温度が高く圧力バランスを取り難い外気温度であっても、外気温度に応じた遅延を行うことができ、効率良くシステムの圧力バランスをとることができる。
【００２０】
請求項７に記載の発明は、請求項１から６のいずれか一項に記載の発明において、電源電圧を検知する電圧検知手段を備え、前記電源電圧検知手段により検知した電源電圧に応じた時間を遅延するものであり、電源電圧が低く、起動不良を起こり易い場合でも電圧に応じた遅延を行うことができ、効率良くシステムの圧力バランスをとることができる。
【００２１】
以下、本発明の実施の形態について、図面を参照しながら説明する。なお、この実施の形態によってこの発明が限定されるものではない。
【００２２】
（実施の形態１）
図１は、本発明の実施の形態１における自動販売機の冷媒回路図である。図２は、同実施の形態の自動販売機の機能ブロック図である。図３、図４は、同実施の形態の自動販売機の動作を示すフローチャートである。
【００２３】
図１において、自動販売機内には、ホット／コールド切替室１と、コールド専用室２と、第二コールド専用室３からなる貯蔵室を備え、ホット／コールド切替室１内には室内熱交換器３０が、コールド専用室２内には室内蒸発器５が、第２コールド専用室２内には第２室内蒸発器６が設置されている。
【００２４】
貯蔵室の外にはコールド専用室２、３を冷却するための室外熱交換器７と圧縮機８とを備えた冷却用ユニット１２と、さらに貯蔵室の外にはホット／コールド切替室１を冷却／加温するための室外熱交換器３１と冷却加温用圧縮機３４とで構成されたヒートポンプシステムである冷却加温用ユニット１３を有している。なお、冷却加温用ユニット１３には、ホット／コールド切替室１内の冷却／加温の運転を切換えるための冷却加温切換手段３２を有している。
【００２５】
さらに冷却加温用ユニット１３の加温能力を補完するために、室内熱交換器３０の風下側には冷却加温用ユニット１３の最大加温能力とほぼ同等の加温能力を有する電気ヒータからなる補助ヒータ１６を有し、室内熱交換器３０および補助ヒータ１６で暖められた空気を送風してホット／コールド切換室１の室内を循環する加温用ファン３５を備えている。
【００２６】
また、ホット／コールド切換室１内には室内温度を計測する室内温度センサー３６が、コールド専用室２内には室内温度を計測する室内温度センサー３７が、第２コールド専用室３内には室内温度を計測する室内温度センサー３８が設置されている。
【００２７】
また、冷却用ユニット１２の室外熱交換器７と冷却加温用ユニット１３の室外熱交換器３１は、熱交換を促進するためのフィンを共用して一体化した構成としている。
【００２８】
また、冷却加温用圧縮機３４は各貯蔵室の室温変化に対応して、回転数を変化させてその能力を制御するものである。
【００２９】
また、膨張弁１０はコールド専用室２用の室内蒸発器５の上流に、膨張弁１１は第二コールド専用室２用の第２室内蒸発器６の上流に配置し、通過する冷媒の圧力を低下するとともに閉塞機能を有したものである。また、冷却加温切換弁３２は冷媒の流れの方向を制御し、ホット／コールド切替室１内の冷却／加温の運転を切換える。
【００３０】
図２において、演算制御部１００は、冷却用圧縮機８が停止時からの時間を計測するタイマー５０と、冷却加温用圧縮機３４が停止時からの時間を計測するタイマー５１と、冷却用圧縮機８が動作、停止に変化したことを検知する冷却用圧縮機起動停止検知手段５２と、冷却加温用圧縮機３４が動作、停止に変化したことを検知する冷却加温用圧縮機起動停止検知手段５３と、外気温度を検知する外気温度検知手段５４と、電源電圧を検知する電圧検知手段５５に接続されている。
【００３１】
演算制御部１００は、冷却用圧縮機８、冷却加温用圧縮機３４が停止し、圧力バランス中、もしくは起動する前にもう一方の圧縮機が起動停止したことを冷却用圧縮機起動停止検知手段５２、冷却加温用圧縮機起動停止検知手段５３により検知し、ホット／コールド切替室１が冷却、加温設定により冷却用圧縮機８、冷却加温用圧縮機３４の圧力バランスに影響がでる場合には冷却用圧縮機８、冷却加温用圧縮機３４を外気温度検知手段５４に
より検知した外気温度、電圧検知手段５５により検知した電源電圧に応じた時間起動を遅延させる。
【００３２】
以上のように構成された自動販売機について、以下その動作を説明する。
【００３３】
コールド専用室２および第２コールド専用室３を冷却する冷却用圧縮機８を駆動すると冷却用圧縮機８から吐出された冷媒は、室外熱交換器７で凝縮された後、膨張弁１０、または膨張弁１１で減圧され、室内蒸発器５または第２室内蒸発器６で蒸発した冷媒が冷却用圧縮機８へ還流する。このとき室外熱交換器７の温度は外気温度にもよるが６０℃あたりまで上昇するよう設計されている。
【００３４】
また、室内温度センサー３７、３８によりコールド専用室２および第２コールド専用室３の室内温度が所定の温度に達した場合は、冷却用圧縮機８の運転を停止する。冷却用圧縮機８は一旦停止すると、圧力バランスをとる必要があるため、駆動条件となっても圧力バランスがとれていないと起動不良となってしまうため、圧力バランスがとれる所定時間駆動しないように保護時間が設けられている。圧力バランスがとれた場合、室外熱交換器７の温度は外気温度に近い温度まで下降する。
【００３５】
次に、ホット／コールド切替室１を冷却する場合、冷却加温切換弁３２を冷却側に切換、冷却加温用圧縮機３４を駆動する。冷却加温用圧縮機３４から吐出された冷媒は、室外熱交換器３１で凝縮された後、図示しない減圧装置を経て室内熱交換器３０で蒸発した冷媒が冷却加温用圧縮機３４へ還流する。このとき室外熱交換器７の温度は外気温度にもよるが６０℃あたりまで上昇するよう設計されている。
【００３６】
また、室内温度センサー３６によりホット／コールド切替室１の室内温度が所定の温度に達した場合は、冷却加温用圧縮機３４の運転を停止する。冷却加温用圧縮機３４は一旦停止すると、圧力バランスをとる必要があるため、駆動条件となっても圧力バランスがとれていない起動不良となってしまうため、圧力バランスがとれる所定時間駆動しないように保護時間が設けられている。圧力バランスがとれた場合、室外熱交換器３１の温度は外気温度に近い温度となる。
【００３７】
次に、ホット／コールド切替室１を加温する場合、冷却加温切換弁３２を加温側に切換、冷却加温用圧縮機３４を駆動する。冷却加温用圧縮機３４から吐出された冷媒は、室内熱交換器３０で凝縮し、図示しない減圧装置を経て室外熱交換器３１で蒸発した冷媒が冷却加温用圧縮機３４へ還流する。このとき室外熱交換器７の温度は外気温度にもよるが０℃あたりまで下降するよう設計されている。
【００３８】
また、室内温度センサー３６によりホット／コールド切替室１の室内温度が所定の温度に達した場合は、冷却加温用圧縮機３４の運転を停止する。
【００３９】
冷却加温用圧縮機３４は一旦停止すると、圧力バランスをとる必要があるため、駆動条件となっても圧力バランスがとれていない起動不良となってしまうため、圧力バランスがとれる所定時間駆動しないように保護時間が設けられている。圧力バランスがとれた場合、室外熱交換器３１の温度は外気温度に近い温度となる。
【００４０】
ここで、冷却用ユニット１２の室外熱交換器７と冷却加温用ユニット１３の室外熱交換器３１は、熱交換を促進するためのフィンを共用して一体化した構成としているので、コールド専用室２および第２コールド専用室３を冷却する際に生じる冷媒の凝縮廃熱を用いて、冷却／加温切替室１を効率よく加温することができるので、電気ヒータなどの別の加熱手段を用いてホット／コールド切替室１を加温する場合に比べて、消費電力量を削減す
ることができる。
【００４１】
一方、冷却用ユニット１２の室外熱交換器７と冷却加温用ユニット１３の室外熱交換器３１は、熱交換を促進するためのフィンを共用して一体化した構成としているため、冷却用ユニット１２が起動前の圧力バランス制御中に冷却加温用ユニット１３側が起動もしくは運転停止した場合、一体化した室外熱交換器７と室外熱交換器３１は互いに熱影響を受けることになり、冷却用圧縮機８の吐出側と吸入側の圧力バランスが崩れ、冷却用ユニット１２の起動不良が発生する可能性が生じる。同様に、冷却加温用ユニット１３が起動前の圧力バランス制御中に冷却用ユニット１２側が起動もしくは運転停止した場合も冷却加温用ユニット１３の冷却加温用圧縮機３４の吐出側と吸入側の圧力バランスが崩れ、冷却用ユニット１２の起動不良が発生する可能性が生じる。
【００４２】
上記課題を解決するために、図３、図４のフローチャートをもとに、本発明の自動販売機の制御装置である演算制御部１００の動作、作用を説明する。
【００４３】
まず、冷却／加温切替室１が加温設定されているかの確認を行い（ＳＴＥＰ１）、加温設定されていない、つまり冷却設定の場合にはＳＴＥＰ４１に移行する。加温設定されている場合には、冷却用圧縮機起動停止検知手段５２により冷却用圧縮機８が停止に変化したかの確認を行い（ＳＴＥＰ２）、停止に変化していない場合にはＳＴＥＰ２１に移行する。停止に変化した場合には、タイマー５０を計測開始し（ＳＴＥＰ３）、タイマー５０が所定保護時間Ａ経過したかの確認を行い（ＳＴＥＰ４）、経過していれば冷却用圧縮機８を起動可能状態とする（ＳＴＥＰ５）。
【００４４】
続いて、冷却用圧縮機起動停止検知手段５２により冷却用圧縮機８が起動したかの確認を行い（ＳＴＥＰ６）、起動していれば、確認を終了する。起動していない場合には、冷却加温用圧縮機起動停止検知手段５３により冷却加温用圧縮機３４が停止に変化したかの確認を行い（ＳＴＥＰ７）、停止に変化していなければ、ＳＴＥＰ６に移行し、再度冷却用圧縮機８の起動を確認する。冷却加温用圧縮機３４が停止に変化した場合には、冷却用圧縮機８を起動不可能状態にし（ＳＴＥＰ８）、外気温度検知手段５４にて検知した外気温度、電圧検知手段５５にて検知した電源電圧に応じた所定保護時間Ｂを決定し（ＳＴＥＰ９）、タイマー５０が所定保護時間Ｂを経過したかの確認を行い（ＳＴＥＰ１０）、経過していれば、冷却圧縮機８を起動可能状態とする（ＳＴＥＰ１１）。
【００４５】
また、ＳＴＥＰ２にて冷却用圧縮機８が停止に変化していない場合には、冷却加温用圧縮機起動停止検知手段５３により冷却加温用圧縮機３４が停止に変化したかの確認を行い（ＳＴＥＰ２１）、停止に変化した場合には、タイマー５１を計測開始し（ＳＴＥＰ２２）、タイマー５１が所定保護時間Ｃを経過したかの確認を行い（ＳＴＥＰ２３）、経過していれば冷却加温用圧縮機３４を起動可能状態とする（ＳＴＥＰ２４）。
【００４６】
続いて、冷却加温用圧縮機起動停止検知手段５３により冷却加温用圧縮機３４が起動したかの確認を行い（ＳＴＥＰ２５）、起動していれば、確認を終了する。起動していない場合には、冷却用圧縮機起動停止検知手段５２により冷却用圧縮機８が起動に変化したかの確認を行い（ＳＴＥＰ２６）、停止に変化していなければ、ＳＴＥＰ２５に移行し、再度冷却加温用圧縮機３４の起動を確認する。冷却用圧縮機８が停止に変化した場合には、冷却加温用圧縮機３４を起動不可能状態にし（ＳＴＥＰ２７）、外気温度検知手段５４にて検知した外気温度、電圧検知手段５５にて検知した電源電圧に応じた所定保護時間Ｄを決定し（ＳＴＥＰ２８）、タイマー５１が所定保護時間Ｄ経過したかの確認を行い（ＳＴＥＰ２９）、経過していれば、冷却加温圧縮機３４を起動可能状態とする（ＳＴＥＰ３０）。
【００４７】
また、ＳＴＥＰ１にて加温設定されていない、つまり冷却設定の場合には、冷却用圧縮機起動停止検知手段５２により冷却用圧縮機８が停止に変化したかの確認を行い（ＳＴＥＰ４１）、停止に変化していない場合にはＳＴＥＰ６１に移行する。停止に変化した場合には、タイマー５０を計測開始し（ＳＴＥＰ４２）、タイマー５０が所定保護時間Ｅ経過したかの確認を行い（ＳＴＥＰ４３）、経過していれば冷却用圧縮機８を起動可能状態とする（ＳＴＥＰ４４）。
【００４８】
続いて、冷却用圧縮機起動停止検知手段５２により冷却用圧縮機８が起動したかの確認を行い（ＳＴＥＰ４５）、起動していれば、確認を終了する。起動していない場合には、冷却加温用圧縮機起動停止検知手段５３により冷却加温用圧縮機３４が起動に変化したかの確認を行い（ＳＴＥＰ４６）、起動に変化していなければ、ＳＴＥＰ４５に移行し、再度冷却用圧縮機８の起動を確認する。冷却加温用圧縮機３４が起動に変化した場合には、冷却用圧縮機８を起動不可能状態にし（ＳＴＥＰ４７）、外気温度検知手段５４にて検知した外気温度、電圧検知手段５５にて検知した電源電圧に応じた所定保護時間Ｆを決定し（ＳＴＥＰ４８）、タイマー５０が所定保護時間Ｆ経過したかの確認を行い（ＳＴＥＰ４９）、経過していれば、冷却圧縮機８を起動可能状態とする（ＳＴＥＰ５０）。
【００４９】
また、ＳＴＥＰ４１にて冷却用圧縮機８が停止に変化していない場合には、冷却加温用圧縮機起動停止検知手段５３により冷却加温用圧縮機３４が停止に変化したかの確認を行い（ＳＴＥＰ６１）、停止に変化した場合には、タイマー５１を計測開始し（ＳＴＥＰ６２）、タイマー５１が所定保護時間Ｇ経過したかの確認を行い（ＳＴＥＰ６３）、経過していれば冷却加温用圧縮機３４を起動可能状態とする（ＳＴＥＰ６４）。続いて、冷却加温用圧縮機起動停止検知手段５３により冷却加温用圧縮機３４が起動したかの確認を行い（ＳＴＥＰ６５）、起動していれば、確認を終了する。起動していない場合には、冷却用圧縮機起動停止検知手段５２により冷却用圧縮機８が起動に変化したかの確認を行い（ＳＴＥＰ６６）、起動に変化していなければ、ＳＴＥＰ６５に移行し、再度冷却加温用圧縮機３４の起動を確認する。冷却用圧縮機８が停止に変化した場合には、冷却加温用圧縮機３４を起動不可能状態にし（ＳＴＥＰ６７）、外気温度検知手段５４にて検知した外気温度、電圧検知手段５５にて検知した電源電圧に応じた所定保護時間Ｈを決定し（ＳＴＥＰ６８）、タイマー５１が所定保護時間Ｈ経過したかの確認を行い（ＳＴＥＰ６９）、経過していれば、冷却加温圧縮機３４を起動可能状態とする（ＳＴＥＰ７０）。
【００５０】
以上のように、本実施の形態においては冷却運転を行う冷却用ユニット１２と、冷却運転と加温運転を切替え可能な冷却加温用ユニット１３と、冷却用ユニット１２に備えられた冷却用圧縮機８と、冷却加温用ユニット１３に備えられた冷却加温用圧縮機３４と、冷却用ユニット１２と冷却加温用ユニット１３の室外熱交換器７、３１のフィンが一体に形成されている自動販売機において、冷却加温用ユニット１３が加温設定である場合に、冷却用ユニット１２が高圧と低圧の圧力バランス中もしくは起動前に冷却加温用ユニット１３が停止した場合には、冷却用ユニット１２の起動を所定時間遅延することで、加温設定された冷却加温用ユニット１３が停止することにより、フィンが一体に形成された室外熱交換器７の温度が上昇し、それにより冷却用ユニット１２の吐出側の圧力が上昇し、バランスが崩れてしまった場合においても、それより所定時間起動を遅延させるので、冷却用ユニット１２は圧力バランスを十分にとり、起動不良を起こすことなく、起動することができる。
【００５１】
また、冷却加温用ユニット１３が冷却設定である場合に、冷却用ユニット１２が高圧と低圧の圧力バランス中もしくは起動前に冷却加温用ユニット１３が起動した場合には、冷却用ユニット１２の起動を所定時間遅延することで、冷却設定された冷却加温用ユニット１３が起動することにより、フィンが一体に形成された室外熱交換器７の温度が上昇し、それにより冷却用ユニット１２の吐出側の圧力が上昇し、圧力バランスが崩れてしまった
場合においても、それより所定時間起動を遅延させるので、冷却用ユニット１２は圧力バランスを十分にとり、起動不良を起こすことなく、起動することができる。
【００５２】
また、冷却加温用ユニット１３が冷却設定である場合に、冷却加温用ユニット１３が高圧と低圧の圧力バランス中もしくは起動前に冷却用ユニット１２が起動した場合には、冷却加温用ユニット１３の起動を所定時間遅延することにより、フィンが一体に形成された室外熱交換器３１の温度が上昇し、それにより冷却用ユニット１２の吐出側の圧力が上昇し、圧力バランスが崩れてしまった場合においても、それより所定時間起動を遅延させるので、冷却加温用ユニット１３は圧力バランスを十分にとり、起動不良を起こすことなく、起動することができる。
【００５３】
また、冷却加温用ユニット１３が加温設定である場合に、冷却加温用ユニット１３が高圧と低圧の圧力バランス中もしくは起動前に冷却用ユニット１２が起動した場合には、冷却加温用ユニット１３の起動を所定時間遅延することにより、フィンが一体に形成された室外熱交換器３１の温度が上昇し、それにより冷却用ユニット１２の吐出側の圧力が上昇し、圧力バランスが崩れてしまった場合においても、それより所定時間起動を遅延させるので、冷却加温用ユニット１３は圧力バランスを十分にとり、起動不良を起こすことなく、起動することができる。
【００５４】
また、外気温検知手段５４により検知した外気温度に応じた時間を遅延することにより、冷却用ユニット１２、冷却加温用ユニット１３のバランスが崩れた場合には外気温度が高く圧力バランスを取り難い外気温度であっても、外気温度に応じた遅延を行うことができ、効率良くシステムの圧力バランスをとることができる。
【００５５】
また、電源電圧検知手段５５により検知した電源電圧に応じた時間を遅延することにより、冷却用ユニット１２、冷却加温用ユニット１３のバランスが崩れた場合には電圧が低く、起動不良を起こり易い場合でも電圧に応じた遅延を行うことができ、効率良くシステムの圧力バランスをとることができる。
【産業上の利用可能性】
【００５６】
以上のように、本発明にかかる自動販売機の制御装置は、複数の冷却ユニットの室外熱交換器を一体に形成したものにおいて、一方の冷却ユニットが高圧と低圧の圧力バランス制御中に他方の冷却ユニットが起動または停止した場合においても、圧縮機の吐出側と吸入側の圧力バランスを適切に行うことができ、圧縮機の起動不良を防止することができるので、複数の冷却ユニットを備え、室外熱交換器を一体に形成したあらゆる冷却加温機器に適用できる。
【符号の説明】
【００５７】
７  室外熱交換器
８  冷却用圧縮機
１２  冷却用ユニット
１３  冷却加温用ユニット
３１  室外熱交換器
３４  冷却加温用圧縮機
５０、５１  タイマー
５２  冷却用圧縮機起動停止検知手段
５３  冷却加温用圧縮機起動停止検知手段
５４  外気温度検知手段
５５  電圧検知手段
１００  演算制御部
【図２】
2011034526.tif 000003
【図３】
2011034526.tif 000004
【図４】
2011034526.tif 000005
【図１】
2011034526.tif 000006
【図５】
2011034526.tif 000007